(57)【要約】【課題】本考案は、肌触りがよく、汚液の滲み出し等の発生を防止でき、かつ敷きずれがないために寝具などへの汚液の浸入が確実に防止できる巻き込み式の医療用又は介護用シーツを提供することを目的とする。【解決手段】吸水シートの表面又は表裏両面に、それぞれ１〜５枚の吸水紙を積層してなる積層物の表面側を透水性素材で被覆し、積層物の裏面側を、チューブ状であって、該チューブの下面中央部が縦方向にカットされた非透水性素材で被覆したことを特徴とする巻き込み式医療用又は介護用シーツ。【選択図】図１
0003149683.tif 000002
【実用新案登録請求の範囲】
【請求項１】
吸水シートの表面又は表裏両面に、それぞれ１〜５枚の吸水紙を積層してなる積層物の表面側を透水性素材で被覆し、積層物の裏面側を、チューブ状であって、該チューブの下面中央部が縦方向にカットされた非透水性素材で被覆したことを特徴とする巻き込み式医療用又は介護用シーツ。
【考案の詳細な説明】
【技術分野】
【０００１】
本考案は、尿、血液、体液、薬液等の汚液の吸収、吸液処理に好適に用いられる巻き込み式医療用又は介護用シーツに関する。
【背景技術】
【０００２】
近年、医療や介護の現場において、汚液等の処理に用いられるシーツとしては、例えば和紙等の不織布の間に顆粒（粉末）の吸水剤を挟持した吸水性のシートが提案されている（例えば、特許文献１参照）。しかし、この場合、不織布が破れると顆粒の吸水剤が飛び散り取り扱いが不便であるばかりでなく、汚液等を吸水してシートが濡れてくると、シートに接する肌触りが悪化し、更にこのシートに接する寝具などに汚液が浸入しそれを汚すことになる。
【０００３】
また、吸水性シートの片面に防水性シートを積層してなる医療用脱臭防水シートも提案されている（例えば、特許文献２参照）。ところがこの場合は、防水性シートによってこの防水性シートに接する寝具などへの汚液の浸入を防止できるものの、濡れたシートに接する肌触りは改善されず、更に寝返りを打ったり、医療や介護行為等で身体を動かしたりすると、防水性シートがずれて寝具を汚すことがたびたびあるなど、決して満足できるものでなかった。
【０００４】
このシートのずれを防止するために、織物又は編物からなるシーツ本体の少なくとも一方の面に、マットレスに巻き込み固定されるシーツ本体の両端部を除いて、所定の幅の防水膜層を形成した防水シーツが提案されている（例えば、特許文献３参照）。しかし、この場合は、巻き込み固定用の両端部を有するために、シーツのずれは防止できるが、防水機能のみであるため、濡れたシーツに接する肌触りについては全く改善されないばかりか、汚液が身体に付着して病気の悪化を招きかねない。
【先行技術文献】
【特許文献】
【０００５】
【特許文献１】特開平１１−２２７０８５号公報
【特許文献２】特開２００４−１４８０４７号公報
【特許文献３】特開２００２−３４５８７３号公報
【考案の概要】
【考案が解決しようとする課題】
【０００６】
そこで本考案は、肌触りがよく、汚液の滲み出し等の発生を防止でき、かつ敷きずれがないために寝具などへの汚液の浸入が確実に防止できる巻き込み式の医療用又は介護用シーツを提供することを目的とする。
【課題を解決するための手段】
【０００７】
本考案者は、上記目的を達成するために鋭意研究した結果、透水性素材と非透水性素材の間に、特定枚数の吸水紙と、それより高い吸水能を持った吸水シートを配置すると共に、裏面の非透水性素材を下面中央部が縦方向にカットされたチューブ状とすることで、吸水紙のソフト感や接触感（肌触り）を維持しつつ、吸水紙に染み込んだ汚液が更にその下の吸水シートに吸収されるため、吸水紙からの汚液の滲み出しが防止でき、且つ非透水性素材の下面のカット部を開いて寝具に巻き込めば、簡単に敷きずれが防止できることを見出し、本考案を完成させるに至ったものである。
【０００８】
即ち、本考案は、吸水シートの表面又は表裏両面に、それぞれ１〜５枚の吸水紙を積層してなる積層物の表面側を透水性素材で被覆し、積層物の裏面側を、チューブ状であって、該チューブの下面中央部が縦方向にカットされた非透水性素材で被覆したことを特徴とする巻き込み式医療用又は介護用シーツである。
【０００９】
本考案において、吸水紙は医療用又は介護用に一般的に用いられる吸水紙であれば特に限定されないが、０．９％生理食塩水に対し自重の５〜１５倍の吸水能を持った吸水紙を用いるのが好ましい。また、吸水シートは、例えばパルプ繊維等の親水性繊維シートの間に顆粒（粉末）状の吸水性樹脂を挟持した、医療用又は介護用に用いられる吸水シートであれば特に限定されないが、吸水能が０．９％生理食塩水に対し自重の２０倍以上、好ましくは３０〜１００倍、より好ましくは４０〜６０倍程度の吸水シートを用いるのが好適である。
【００１０】
本考案に用いる透水性素材は、素材中を水が通過可能な透水性があれば特に限定されないが、例えば透水性の不織布、透水性の織布若しくはメッシュフィルム等を用いるのが好ましい。この場合、透水性の不織布や織布としては、濡れてもある程度サラサラ感のあるものを使用するのが好ましく、疎水性繊維に親水性繊維を適宜混合し、サラサラ感と透水性のバランスを図るとよい。また、メッシュフィルムとしては、ＪＥＪＥ姐妹（株）製のものが例示され、開口部分の間隔は０．５〜２ｍｍ程度、開口率５〜６０％のものが好適である。更に、本考案で用いる非透水性素材は、素材中を水が通過しない非透水性があれば特に限定されないが、疎水性のプラスチック製フィルム、特に厚さ５〜５０ミクロンのポリエチレンフィルムやポリプロピレンフィルムを用いるのが好ましい。
【００１１】
本考案に係る巻き込み式医療用又は介護用シーツは、上記の如く吸水シートの表面又は表裏両面にそれぞれ吸水紙を積層した積層物を用いるもので、ここで言う「積層」とは単に双方が重ね合わさっている状態を主として意味するが、双方が縫製、貼着、接着などの方法で固着されていてもよい。また、本考案では、積層物の表面側を透水性素材で、裏面側を非透水性素材でそれぞれ被覆するのであるが、この場合の「被覆」とは双方を部分接着したものや、周縁部のみをヒートシール等の方法で接着した状態を指すものである。
【００１２】
更に本考案において、非透水性素材は、チューブ状であって、該チューブの下面中央部が縦方向にカットされた形であるが、上記積層物とはチューブの上面と積層物が当接するよう被覆するものである。
【００１３】
尚、本考案は、１枚の吸水シートのみを用いることを前提としているのではなく、本考案の目的、効果を妨げない範囲で、複数枚の吸水シートを重ねた物の表面又は表裏両面に吸水紙を積層した積層物を用いても良いし、このような積層物を複数重ねた積層物の一方の面を透水性素材で被覆し、他方の面を非透水性素材で被覆しても良い。また、かかる積層物において、本考案の目的、効果を妨げない範囲で、吸水紙や吸水シート中に、若しくはこれらの吸水紙間や吸水紙と吸水シートの間に、又は積層物とその被覆素材との間に消臭剤や芳香剤等を包含させても良いし、更に本考案の目的、効果を妨げない範囲で、吸水紙間若しくは吸水紙と吸水シートの間に、又は積層物とその被覆材との間に、不織布、織布、紙、フィルム、シート等の別の素材を介在させてもよいのは言うまでもない。
【考案の効果】
【００１４】
本考案に係るシーツを使用する場合は、透水性素材を表面材として人体と接触する側に使用し、非透水性素材を裏面材として寝具に接する側に使用する。本考案のシーツによれば、汚液は表面材を通ってまず吸水紙に吸収され、それを通過したものが吸水能の高い吸水シートに吸収される。この場合、吸水シートの表面材側に配置する吸水紙は、１〜５枚、好ましくは２〜４枚程度であり、吸水紙に吸収された汚液は、体重による負荷がかかった場合でも表面材側に滲み出ず、吸水シート側に吸収される。従って、本考案のシーツを使用した場合は、吸水シートが吸水して膨潤してもヌルヌルしたヌメリ感がなく、使用中常にほぼ乾燥した状態の吸水紙に表面材を介して接するため、不快感を味わうことがない。また、吸水シートの裏面に吸水紙を配した場合は、汚液を吸収して膨潤した吸水シートが、直接非透水性素材等に接したときに見られるスベリ（ヌメリのあるものが、滑らかな非透水性素材に接するとスベリを生じる）を防止する効果を奏する。
【図面の簡単な説明】
【００１５】
【図１】は、本考案に係る巻き込み式医療用又は介護用シーツの一例であって、吸水シートの表面に吸水紙を積層した積層物を用いたシーツの断面概略図である。
【考案を実施するための形態】
【００１６】
本考案を実施するための形態は次の通りであるが、これらは本考案を実施するための形態の一例に過ぎず、本考案はこれらの実施の形態に限定されるものではない。
【００１７】
（実施の形態１）
図１は、本考案に係る巻き込み式医療用又は介護用シーツの一例であり、吸水シート１（縦５７０ｍｍ×横８５０ｍｍ）の表面に吸水紙２（縦５７０ｍｍ×横８５０ｍｍの吸水紙を３枚積層したもの）を積層した積層物の表面側を不織布３で覆い、裏面側をチューブ状であって、該チューブの下面中央部５が縦方向にカットされた疎水性フィルム４で被覆して、表面側の不織布と裏面側のフィルムとを積層物の周縁で融着して作製したものである。
【００１８】
この場合、吸水シート１としては、０．９％生理食塩水に対し自重の６０倍の吸水量であって、目付量が４５ｇ／ｍ２の吸水シート（ベストプロダクツ（株）製ポリマーシート００４５）を用い、吸水紙２としては、同生理食塩水に対し自重の８倍の吸水量であって、目付量が２７ｇ／ｍ２の吸水紙（カミ商事社製クレープ紙）を用い、上記積層物を作製した。この積層物（１３０ｇ）の０．９％生理食塩水に対する吸水量を次のようにして測定すると、１３００ｇであり、吸水量は自重の１０倍となった。また、上記裏面側のチューブ状疎水性フィルム４としては、厚さ２０ミクロンのポリエチレンフィルム（福助工業（株）製）を、表面側の不織布３としては、レーヨン繊維３０重量％とポリエチレン繊維７０重量％からなる繊維目付量１７ｇ／ｍ２の不織布（シンワ（株）製）を用いた。
【００１９】
吸水量測定方法；積層物を０．９％生理食塩水に１分間浸漬した後取り出し、支持棒でその一端を把持してぶら下げた状態にし、１分間放置する。この時の保水量を吸水量とする。即ち、吸水量＝「浸漬１分間放置後の積層物の重量−浸漬前の積層物の重量」となる。
【００２０】
この実施の形態１のシーツを、例えばお産の際の敷物や手術現場の敷物として使用すると、不織布３から入った汚液は、不織布を通して吸水紙２に吸収されつつ、更に吸収シート１側へ汚液が浸透していくので、体重による負荷があっても、吸水紙から汚液等が滲み出ることなく、使用者は使用中ずっとほぼ乾燥したシーツに触れる感覚で心地よく使用できる。しかも、当該シーツは、裏面の疎水性フィルムのカットされた部分を両側に広げて寝具に巻き込んでおくと、使用中に寝返りを打ったり、身体を動かしてもシーツの敷きずれがなく、寝具を汚すこともないという優れた効果を奏することが確認された。
【００２１】
（実施の形態２）
表面材として、不織布の代わりにポリエチレン製メッシュフィルム（ＪＥＪＥ姐妹（株）（中国）製）を用いる以外は、上記実施形態１と同様の方法で巻き込み式医療用又は介護用シーツを作製した。
【００２２】
この実施の形態２のシーツを、例えばお産の際の敷物や手術現場の敷物として使用すると、メッシュフィルム３から入った汚液は、メッシュフィルムの孔を通して吸水紙２に吸収されつつ、更に吸収シート１側へ汚液が浸透していくので、体重による負荷があっても、吸水紙から汚液等が滲み出ることなく、使用者は使用中ずっとほぼ乾燥したシーツに触れる感覚で心地よく使用できる。しかも、当該シーツは、前記実施形態１と同様、使用中にシーツ敷きずれがなく、寝具を汚すこともなかった。
【産業上の利用可能性】
【００２３】
本考案は、巻き込み式医療用又は介護用シーツに関し、特にお産や手術、介護現場などのような、衛生的に確実な処理が必要な現場において、発生する尿、血液、体液、薬液等の汚液の吸収、吸液処理に有用で、且つ敷きずれがなく、寝具の汚れを確実に防止できるといった利点から、医療用又は介護用シーツとして好適に用いられるものである。
【符号の説明】
【００２４】
１・・・吸水シート
２・・・吸水紙
３・・・透水性素材としての不織布又はメッシュフィルム
４・・・非透水性素材としての疎水性フィルム
５・・・チューブの下面中央部
【図１】
0003149683.tif 000003